(57)【要約】  【課題】  電子番組情報に基づき表示される放送予定において、延長される可能性のある番組を、延長される可能性の程度を認識することできる様に表示する受信装置を提供する。  【解決手段】  受信装置は、受信した電子番組情報にて示される番組に対し、放送時間が延長される可能性の有無を第１判定手段により判定し、該第１判定手段により延長される可能性が有ると判定された番組に対し、実際に放送時間が延長されたか否かを第２判定手段により判定し、第１判定手段の判定結果及び第２判定手段の判定結果に基づいて、判定の対象となった番組の属性を決定し、電子番組情報にて示される番組の中から、既に放送され属性が決定された番組に関連する関連番組を検出し、検出した関連番組に係る放送予定の表示方法、例えば表示色を、関連する番組に対して決定された属性に基づいて変更する。【選択図】      図７
2007074438.tif 000002
【特許請求の範囲】
【請求項１】
放送される番組の放送予定を示す電子番組情報を受信し、受信した電子番組情報に基づいて、各番組の放送予定を所定の表示方法で表示手段に表示させる受信装置において、
電子番組情報にて示される番組に対し、放送時間が延長される可能性の有無を判定する第１判定手段と、
既に放送された番組に対し、放送時間が延長されたか否かを判定する第２判定手段と、
前記第１判定手段の判定結果及び第２判定手段の判定結果に基づいて、判定の対象となった番組の属性を決定する決定手段と、
電子番組情報にて示される番組の中から、既に放送され属性が決定された番組に関連する関連番組を検出する検出手段と、
検出した関連番組に係る放送予定の表示方法を、関連する番組に対して決定された属性に基づいて変更する変更手段と
を備えることを特徴とする受信装置。
【請求項２】
前記第１判定手段は、電子番組情報により示される番組の名称、内容又は出演者に、予め設定されているキーワードが含まれている場合に、延長される可能性があると判定する様に構成してあることを特徴とする請求項１に記載の受信装置。
【請求項３】
前記第２判定手段は、前記第１判定手段により延長される可能性が有ると判定された番組に対し、放送時間が延長されたか否かを判定する様に構成してあることを特徴とする請求項１又は請求項２に記載の受信装置。
【請求項４】
前記決定手段は、所定の期間内に放送された番組に対する判定結果を集計した結果に基づいて属性を決定する様に構成してあることを特徴とする請求項１乃至請求項３のいずれかひとつに記載の受信装置。
【請求項５】
前記変更手段は、表示色を変更する様に構成してあることを特徴とする請求項１乃至請求項４のいずれかひとつに記載の受信装置。
【請求項６】
前記第１判定手段の判定結果及び第２判定手段の判定結果を集計する手段と、
集計した結果に基づくグラフを生成する手段と、
生成したグラフを表示手段に表示させる手段と
を備えることを特徴とする請求項１乃至請求項５のいずれかひとつに記載の受信装置。
【請求項７】
放送される番組を受信する手段と、
受信した番組を記録する手段と、
電子番組情報にて放送予定が示される番組の記録予約を受け付ける手段と
を更に備えることを特徴とする請求項１乃至請求項６のいずれかひとつに記載の受信装置。
【発明の詳細な説明】
【技術分野】
【０００１】
本発明は、放送される番組の放送予定を示す電子番組情報を受信し、受信した電子番組情報に基づいて、各番組の放送予定を表示手段に表示させる受信装置に関し、特に番組の放送時間が変更される可能性の程度を示すことが可能な受信装置に関する。
【背景技術】
【０００２】
放送されるテレビ番組を受信し、記録するビデオテープレコーダ、ハードディスクレコーダ等の記録装置が普及している。このような記録装置では、ユーザがチャンネル、記録開始時刻及び記録終了時刻を予め設定しておくことにより、テレビ番組を自動的に記録する記録予約の機能を備えている。特に最近では、放送される番組の放送予定を示す電子番組情報（ＥＰＧ：Ｅｌｅｃｔｒｏｎｉｃ  Ｐｒｏｇｒａｍ  Ｇｕｉｄｅ）を受信し、受信した電子番組情報にて示される番組の放送予定に基づいて、テレビ番組の記録予約の設定を行う記録装置が実用化されている（例えば特許文献１参照。）。
【０００３】
一方、野球、サッカー等のスポーツ中継番組は、予定時間内に試合が終了せず、番組の放送時間が延長される場合があり、スポーツ中継番組の放送時間が延長されると、実際に延長されたスポーツ中継番組だけでなく、以降に放送される番組の放送時刻も遅れるため、これらの番組を最初から最後まで記録することができない場合が発生する可能性があるという問題がある。
【０００４】
そこで記録装置を操作するユーザは、電子番組情報に示された番組の放送予定を確認し、延長の可能性を考慮して記録予約の記録終了時刻を遅らせて設定することで、スポーツ中継番組及びその後に放送される番組を記録している。
【０００５】
また特許文献２においては、放送時間の延長の可能性の有無を示すキーワードを含む番組を電子番組情報から検索し、このキーワードに付随する最大延長時刻を表す時間情報を読み取り、読み取った時間情報に応じて記録予約の終了時刻を変更する録画再生装置が提案されている。これにより、放送時間が延長される可能性がある番組、又は放送の開始時刻及び終了時刻が遅れる可能性がある番組を最後まで記録できる。
【特許文献１】特開２００２−２５２８１３号公報
【特許文献２】特開２００４−２８９５６５号公報
【発明の開示】
【発明が解決しようとする課題】
【０００６】
しかしながら特許文献２に記載の録画再生装置において、延長される可能性がある番組を電子番組情報から検索する場合に用いられるキーワードは、延長される可能性がある番組を必ず検索できるというものではなく、例えば延長される可能性がある野球放送は検索できるが、サッカー放送、バレーボール放送等の他のスポーツ放送を検索することができない虞がある。このようにキーワードに該当する番組が必ずしも延長されるとは限らず、またキーワードに該当しない番組が必ずしも延長されないとは言い切れないため、延長される可能性のある番組を必ず検索することができるキーワードを見出して設定することは実質的に不可能である。
【０００７】
本発明は斯かる事情に鑑みてなされたものであり、電子番組情報にて示される番組に対し、放送時間が延長される可能性の有無を判定し、また既に放送された番組に対し、放送時間が延長されたか否かを判定し、これらの判定結果から放送時間が延長される可能性の程度を属性として決定し、決定した属性に基づいて放送予定の表示方法を変更することにより、ユーザは、番組が延長されるか否かではなく、番組が延長される可能性の程度を認識することが可能な受信装置の提供を目的とする。
【課題を解決するための手段】
【０００８】
本発明に係る受信装置は、放送される番組の放送予定を示す電子番組情報を受信し、受信した電子番組情報に基づいて、各番組の放送予定を所定の表示方法で表示手段に表示させる受信装置において、電子番組情報にて示される番組に対し、放送時間が延長される可能性の有無を判定する第１判定手段と、既に放送された番組に対し、放送時間が延長されたか否かを判定する第２判定手段と、前記第１判定手段の判定結果及び第２判定手段の判定結果に基づいて、判定の対象となった番組の属性を決定する決定手段と、電子番組情報にて示される番組の中から、既に放送され属性が決定された番組に関連する関連番組を検出する検出手段と、検出した関連番組に係る放送予定の表示方法を、関連する番組に対して決定された属性に基づいて変更する変更手段とを備えることを特徴とする。
【０００９】
本発明では、放送時間延長の履歴に基づいて、放送時間が延長される可能性の程度を属性として決定し、決定した属性に基づいて放送予定の表示方法を変更することにより、放送予定として示されている番組が延長される可能性の程度を示すことが可能である。
【００１０】
本発明に係る受信装置は、前記第１判定手段は、電子番組情報により示される番組の名称、内容又は出演者に、予め設定されているキーワードが含まれている場合に、延長される可能性があると判定する様に構成してあることを特徴とする。
【００１１】
本発明では、番組の名称、内容又は出演者に含まれる競技名、チーム名、大会名等のキーワードに基づいて延長される可能性の有無を判定することが可能である。
【００１２】
本発明に係る受信装置は、前記第２判定手段は、前記第１判定手段により延長される可能性が有ると判定された番組に対し、放送時間が延長されたか否かを判定する様に構成してあることを特徴とする。
【００１３】
本発明では、第１判定手段の判定の精度を属性として検証することが可能である。
【００１４】
本発明に係る受信装置は、前記決定手段は、所定の期間内に放送された番組に対する判定結果を集計した結果に基づいて属性を決定する様に構成してあることを特徴とする。
【００１５】
本発明では、１週間、２週間等の所定の期間を設定することができるので、期間を短くした場合には、履歴を属性に反映させるまでの時間差を短くすることができ、期間を長くした場合には、属性として示される延長される可能性の推定精度を向上させることが可能である。
【００１６】
本発明に係る受信装置は、前記変更手段は、表示色を変更する様に構成してあることを特徴とする。
【００１７】
本発明では、表示色を変更することにより、表示されている番組の属性を容易に視認することが可能である。
【００１８】
本発明に係る受信装置は、前記第１判定手段の判定結果及び第２判定手段の判定結果を集計する手段と、集計した結果に基づくグラフを生成する手段と、生成したグラフを表示手段に表示させる手段とを備えることを特徴とする。
【００１９】
本発明では、判定結果の状況を容易に把握することが可能である。
【００２０】
本発明に係る受信装置は、放送される番組を受信する手段と、受信した番組を記録する手段と、電子番組情報にて放送予定が示される番組の記録予約を受け付ける手段とを更に備えることを特徴とする。
【００２１】
本発明では、ハードディスクレコーダ等の記録装置に適用することにより、記録装置の利便性を向上させることが可能である。
【発明の効果】
【００２２】
本発明は、ビデオテープレコーダ、ハードディスクレコーダ等の受信装置において、受信した電子番組情報にて示される番組に対し、放送時間が延長される可能性の有無を第１判定手段により判定し、該第１判定手段により延長される可能性が有ると判定された番組に対し、実際に放送時間が延長されたか否かを第２判定手段により判定し、第１判定手段の判定結果及び第２判定手段の判定結果に基づいて、判定の対象となった番組の属性を決定し、電子番組情報にて示される番組の中から、既に放送され属性が決定された番組に関連する関連番組を検出し、検出した関連番組に係る放送予定の表示方法、例えば表示色を、関連する番組に対して決定された属性に基づいて変更する。
【００２３】
この構成により、本発明では、放送時間延長の履歴に基づいて、放送時間が延長される可能性の程度を属性として決定し、決定した属性に基づいて、電子番組情報の放送予定として示される番組の表示色が変更されるので、ユーザは、電子番組情報にて示される番組が延長される可能性の程度を容易に視認することが可能である等、優れた効果を奏する。
【発明を実施するための最良の形態】
【００２４】
以下、本発明をその実施の形態を示す図面に基づいて詳述する。図１は、本発明の受信装置の構成例を示すブロック図である。図１中１は、ハードディスクレコーダを用いた本発明の受信装置であり、受信装置１には、ＣＲＴディスプレイ、液晶ディスプレイ等の表示装置２が映像信号及び音声信号を伝送する伝送線にて接続されている。さらに受信装置１には、地上アナログ放送等の放送波として送信される放送番組を受信するアンテナ３が接続されており、またユーザが操作するリモートコントローラ等の操作装置４から出力される赤外線等の操作用の電磁波を受信し、電磁波として受信した操作信号に基づいて動作する。
【００２５】
受信装置１は、装置全体を制御するＣＰＵ等の制御手段１０１と、制御手段１０１の制御により実行されるプログラム及びデータ等の各種情報を記録するＲＯＭ等の記録手段１０２と、制御手段１０１の制御によるプログラムの実行時に発生するデータを一時的に記憶するＲＡＭ等の記憶手段１０３とを備えている。また受信装置１は、ハードディスクドライブ等の記録媒体１０４と、記録媒体１０４にアクセスして各種情報の記録（録画）／読取（再生）を行う記録／読取手段１０５とを備えている。
【００２６】
受信装置１は、アンテナ３に接続し、アンテナ３から受信した地上波アナログ放送等の放送波から所望のチャンネルの放送番組、及び該放送番組と共に送信され、番組の放送時刻を含む放送予定を示した電子番組情報（以下、ＥＰＧ情報という）を取得するチューナ等の取得手段１０６を備えている。そして受信装置１では、アンテナ３にて受信し、取得手段１０６にて取得した放送波であるアナログ信号を、Ａ／Ｄ変換手段１０７にてデジタル信号に変換し、出力手段１０８から映像信号及び音声信号として表示装置２へ出力する。ただし取得手段１０６にて取得された放送番組が記録すべき放送番組である場合、受信装置１では、放送番組をＭＰ２等の所定の圧縮符号化方法にて符号化し、記録媒体１０４に記録する。また取得されたＥＰＧ情報も、記憶手段１０３への記憶又は記録媒体１０４への記録が行われる。なお受信装置１は、ＥＰＧ情報を、アンテナ３にて受信することで取得するのではなく、図示しないネットワーク上に設けられＥＰＧ情報を記録しているＥＰＧサーバからダウンロードすることで取得する様にしても良い。
【００２７】
受信装置１は、更に、ユーザの操作を受け付ける押釦等の操作手段１０９と、必要に応じて各種情報を表示するＬＥＤパネル等の表示手段１１０とを備えている。そしてユーザは、操作手段１０９を操作する入力を行うことにより、受信装置１は、操作手段１０９により操作を受け付け、受け付けた操作に基づいて動作する。また受信装置１は、赤外線等の電磁波を受信する受光手段１１１を備えており、ユーザが操作装置４を操作する入力を行うことで、操作装置４は、操作を受け付け受け付けた操作の内容を示す操作信号を出力し、受信装置１は、受光手段１１１により操作信号を受信し、受信した操作信号が示す操作内容に基づいて動作する。
【００２８】
さらに受信装置１は、年、月、日、時、分及び秒を示す時計を有する日時管理手段１１２と、記録予約（タイマ録画）の管理を行う予約管理手段１１３とを備えており、予約管理手段１１３は、番組の記録予約の内容を記憶し、日時管理手段１１２の時間管理に基づいて番組の記録処理を行う。予約管理手段１１３にて管理する記録予約は、ユーザが操作手段１０９又は操作装置４を操作して、記録すべき番組のチャンネル、開始時刻及び終了時刻を入力することにより行うこともできるが、後述する様にＥＰＧ情報を用いて行うことも可能である。具体的には、ＥＰＧ情報に基づく番組表を表示させ、ユーザが操作手段１０９又は操作装置４を操作して、番組表内に表示された番組を指定する方法、記録予約すべき番組の条件を設定する方法等の方法により行われる。記録予約すべき番組の条件とは、例えば番組のタイトル（名称）、内容又は出演者に指定されたキーワードが含まれているか否か、番組のジャンル、番組の放送時間等の条件である。
【００２９】
次に本発明の受信装置１の各種処理について説明する。図２は、本発明の受信装置１の延長可能性判定処理の一例を示すフローチャートである。受信装置１は、制御手段１０１の制御により、アンテナ３にて受信し、取得手段１０６にて取得したＥＰＧ情報にて示される番組に対し、放送時間が延長される可能性の有無を判定し（Ｓ１０１）、判定した結果を、記憶手段１０３又は記録媒体１０４に記録する（Ｓ１０２）。
【００３０】
ステップＳ１０１において、放送時間が延長される可能性のある番組とは、例えば野球、サッカー等のスポーツを生中継する番組であり、ＥＰＧ情報により示される番組のタイトル、内容又は出演者に、スポーツを生中継する番組であることを示す競技名、チーム名、競技者名、大会名等の予め設定しているキーワードが含まれているか否かにより判定し、キーワードが含まれていれば延長される可能性があると判断する。また可能性の有無を判定する判定条件は複数設定することが可能であり、しかもキーワード以外に、例えばＥＰＧ情報に含まれる番組のジャンルを示す情報、放送時間、放送時刻等の判定条件を設定する様にしても良い。
【００３１】
図３は、本発明の受信装置１の属性決定処理の一例を示すフローチャートである。受信装置１は、制御手段１０１の制御により、延長可能性判定処理により、放送時間延長の可能性が有ると判定した番組で、且つ、既に放送された番組に対し、放送時間が延長されたか否かを判定する（Ｓ２０１）。
【００３２】
ステップＳ２０１では、既に放送された番組の放送時間が実際に延長されたか否かを判定する。判定方法としては、当該番組の記録時に放送時間が延長されたと考えられる処理、例えば記録終了時刻を遅らせる操作を受け付けたか否かに基づいて判定する。なお記録処理が行われなかった番組、及び記録終了時刻を遅らせた番組だけでなく、実際に延長された番組を指定する操作をユーザが行い、受信装置１では、指定を受け付けた番組を延長された番組として判定する様にしても良い。
【００３３】
そして受信装置１は、制御手段１０１の制御により、放送時間が延長される可能性の有無の判定結果、及び放送時間が延長されたか否かの判定結果を、１週間、２週間等の所定期間内に放送された番組に対して集計し（Ｓ２０２）、集計した判定結果に基づいて、判定の対象となった番組の属性を決定し（Ｓ２０３）、決定した属性を示す属性情報を、番組を示す番組情報に対応付けて記憶手段１０３又は記録媒体１０４に記録する（Ｓ２０４）。
【００３４】
図４は、本発明の受信装置１の属性決定処理による属性の決定例を示す図表である。図４は、１週間の間に放送された番組に対する属性の決定例を示しており、放送された番組に対するヒット数、延長件数及び属性を曜日別に示している。ヒット数とは、設定されているキーワード等の判定条件に従って放送時間が延長される可能性が有ると判定した番組の数である。延長件数とは、放送された番組の中で放送時間が延長されたと判定した番組の数である。属性とは、ヒット数及び延長件数に基づいて決定された属性である。また図４（ａ）が、第１の判定条件（ＫＷ１：第１キーワード）に基づいて放送時間が延長される可能性の有無を判定し、図４（ｂ）が、第２の判定条件（ＫＷ２：第２キーワード）に基づいて放送時間が延長される可能性の有無を判定している。
【００３５】
図４（ａ）では、放送された番組中、月曜日、火曜日、木曜日及び金曜日が、夫々１件のヒット数があり、土曜日に２件、そして日曜日に３件のヒット数があったことを示している。また土曜日にヒットした２件の番組中、１件が実際に放送時間の延長が行われ、日曜日にヒットした３件の番組中、１件が実際に放送時間の延長が行われたことを示している。そしてヒットした番組の中で実際に放送時間の延長が行われた番組に対しては、属性「Ｂ」が付与され、それ以外の番組には、属性「Ａ」が付与される。図４（ｂ）も同様であり、ヒットした番組の中で実際に放送時間の延長が行われた番組に対しては、属性「Ｂ」が付与され、それ以外の番組には、属性「Ａ」が付与される。なお図４では、集計結果を曜日毎に示しているが、属性そのものは、番組に対して付与される。
【００３６】
図５は、本発明の受信装置１の属性決定処理による属性の決定例を示す図表である。図５は、２週間の間に放送された番組に対する属性の決定例を示しており、放送された番組に対するヒット数、延長件数及び属性を曜日別に示している。図５（ａ）が、第１の判定条件（第１キーワード）に基づいて放送時間が延長される可能性の有無を判定し、図５（ｂ）が、第２の判定条件（第２キーワード）に基づいて放送時間が延長される可能性の有無を判定している。なお図５では、延長件数を週別に区分して示している。
【００３７】
図５（ａ）及び図５（ｂ）に示す様にヒットした番組の中で、放送時間の延長が行われなかった番組には、属性「Ａ」が付与され、１週目は延長されたが２週目は延長されなかった番組には、属性「Ｂ」が付与され、１週目は延長されなかったが２週目は延長された番組には、属性「Ｃ」が付与され、そして１週目及び２週目共に延長された番組には、属性「Ｄ」が付与される。なお異なる週に放送された番組の中で、チャンネル、曜日及び放送開始時刻が同じ番組は、互いに関連する同じ番組であると判断している。図５では、集計結果を曜日毎に示しているが、属性そのものは、番組に対して付与される。なお図４及び図５では、夫々１週間及び２週間を基準に属性を付与したが、３週間以上でも良く、また１ヶ月等の期間を基準に属性を付与する様にしても良い。
【００３８】
図６は、本発明の受信装置１の番組表表示処理を示すフローチャートである。ユーザは、例えば放送される番組を確認する場合、放送される番組の記録予約を行う場合等の状況下において、操作手段１０９又は操作装置４を操作して、ＥＰＧ情報に基づく番組表を表示させる操作を行う。操作を受け付けた受信装置１は、制御手段１０１の制御により、アンテナ３にて受信し、取得手段１０６にて取得したＥＰＧ情報にて示される番組の中から、既に放送され属性が決定された番組に関連する関連番組を検出し（Ｓ３０１）、検出した関連番組に係る放送予定の表示方法を、関連する番組に対して決定された属性に基づいて変更し（Ｓ３０２）、関連番組に係る放送予定の表示方法を変更した番組表を表示装置２に表示させる（Ｓ３０３）。
【００３９】
ステップＳ３０１において、属性が決定された番組とは、属性決定処理により決定された番組であり、該番組に関連する関連番組とは、属性が決定された番組と、チャンネル、曜日及び放送開始時刻が同じ番組のことをいう。なお関連番組を検出する方法としては、チャンネル、曜日及び放送開始時刻に限らず、例えば「２００６  Ｗ−ＣＵＰ  予選中継」等の特定のキーワードが一致するか否かに基づいて関連番組を検出する等、様々な方法に展開することが可能である。
【００４０】
ステップＳ３０２の表示方法の変更とは、放送番組を示すコマの表示色の変更、コマの大きさの変更、番組名を示す文字の大きさ、文字の色等の様々な方法に変更される。更には属性を示す符号を表示する等、様々な形態の変更が行われる。例えば表示色を赤系統の色に変更する場合、属性が「Ａ」、「Ｂ」、「Ｃ」及び「Ｄ」の順で赤の彩度を変更して、「Ａ」は白に近い薄い赤（ピンク）、「Ｄ」は鮮やかな濃い赤になる様にすることで、ユーザは、赤が鮮やかな程、放送時間が延長される可能性が高いと認識することができる。また属性を示す符号を表示する場合、夫々の属性「Ａ」、「Ｂ」、「Ｃ」及び「Ｄ」に対して、属性を示す符号「☆」、「☆☆」、「☆☆☆」及び「☆☆☆☆」を表示する様にしても良い。
【００４１】
図７は、本発明の受信装置１に処理により、表示装置２に表示される番組表の例を示す説明図である。図７では、チャンネ−Ａ、チャンネル−Ｂ及びチャンネル−Ｃについて、１９時台及び２０時台に放送される番組の番組表が示されている。チャンネル−Ａで放送される番組「プロ野球  東京Ｇ  ＶＳ  大阪Ｔ」は、放送番組を示す表示色が変更され、更に属性を示す符号「☆☆☆」が示されている。ユーザは、図７に示された番組表から、番組の表示色及び属性を示す符号により、放送時間が延長される可能性を判断する。
【００４２】
図８は、本発明の受信装置１のグラフ表示処理を示すフローチャートである。ユーザが受信装置１に対して所定の操作を行うことにより、放送された番組に対するヒット数、実際の延長件数等の情報の集計結果を確認することができる。受信装置１は、操作を受け付けた受信装置１は、制御手段１０１の制御により、放送時間が延長される可能性の有無の判定結果、及び放送時間が延長されたか否かの判定結果を、１週間、２週間等の所定期間内に放送された番組に対して集計し（Ｓ４０１）、集計した結果に基づいてグラフを生成し（Ｓ４０２）、生成したグラフを表示装置２に表示させる（Ｓ４０３）。
【００４３】
図９及び図１０は、本発明の受信装置１の処理により、表示装置２に表示されるグラフの例を示す説明図である。図９は、第１週、即ち集計時の８日前から１４日前までの集計結果であり、図１０は、第２週、即ち集計時の１日前から７日前までの集計結果を棒グラフとして示している。集計は、第１の判定条件（ＫＷ１：第１キーワード）及び第２の判定条件（ＫＷ２：第２キーワード）の夫々に対し、日別に行われている。また棒グラフの高さ軸は、件数を示している。棒グラフの高さは、ヒット数を示しており、斜線で示した箇所が実際の延長件数を示している。このようにグラフとして表示することにより、ユーザは、現在の判定条件の精度を把握することができるので、判定条件の見直し、属性が示す延長の確率を読み取ることができる。なおグラフの種類は自由に設定することが可能であり、折れ線グラフ等の他のグラフとして表示することも可能である。
【００４４】
前記実施の形態では、アナログ放送の番組の記録時に適用する形態を示したが、本発明はこれに限らず、地上波デジタル放送、衛星放送等のデジタル放送の記録時に適用する様にしても良い。
【００４５】
また前記実施の形態では、ハードディスクレコーダを受信装置とする形態を示したが、本発明はこれに限らず、ビデオテープレコーダ、ＤＶＤレコーダ等の他の受信装置に適用する様にしても良く、更にはカセットテープレコーダ、ＭＤレコーダ等の映像を伴わないラジオ等の音声を記録する受信装置に適用する様にしても良い。
【００４６】
さらに受信装置は、必ずしも番組を記録する機能を有する装置に限定するものではない。例えばインターネットを介して配信されるＥＰＧ情報を受信するパーソナルコンピュータ等の装置を受信装置として用いる様にしても良い。
【図面の簡単な説明】
【００４７】
【図１】本発明の受信装置の構成例を示すブロック図である。
【図２】本発明の受信装置の延長可能性判定処理の一例を示すフローチャートである。
【図３】本発明の受信装置の属性決定処理の一例を示すフローチャートである。
【図４】本発明の受信装置の属性決定処理による属性の決定例を示す図表である。
【図５】本発明の受信装置の属性決定処理による属性の決定例を示す図表である。
【図６】本発明の受信装置の番組表表示処理を示すフローチャートである。
【図７】本発明の受信装置に処理により、表示装置に表示される番組表の例を示す説明図である。
【図８】本発明の受信装置のグラフ表示処理を示すフローチャートである。
【図９】本発明の受信装置の処理により、表示装置に表示されるグラフの例を示す説明図である。
【図１０】本発明の受信装置の処理により、表示装置に表示されるグラフの例を示す説明図である。
【符号の説明】
【００４８】
１  受信装置
１０１  制御手段
１０２  記録手段
１０６  取得手段
１０８  出力手段
１１２  日時管理手段
１１３  予約管理手段
２  表示装置
３  アンテナ
【図１】
2007074438.tif 000003
【図２】
2007074438.tif 000004
【図３】
2007074438.tif 000005
【図４】
2007074438.tif 000006
【図５】
2007074438.tif 000007
【図６】
2007074438.tif 000008
【図７】
2007074438.tif 000009
【図８】
2007074438.tif 000010
【図９】
2007074438.tif 000011
【図１０】
2007074438.tif 000012